(57)【要約】  空調制御装置（７）は、所定の居室空間の異なる位置に設置された複数の空調機器を制御する。記憶部（５０）は、各空調機器によって空気調和されている空間に存在する在室者に関する在不在データ（５３）を管理する。在室人数算出部（６１）は、管理されている在不在データ（５３）に基づいて、各空調機器によって空気調和される空間に存在する在室者の人数を、空調機器毎に算出する。制御時間決定部（６２）は、算出された在室者の人数に応じて、各空調機器の省エネルギー制御を実行する制御時間を増減させる。制御実行部（６３）は、決定された制御時間に従って、各空調機器に対する省エネルギー制御を繰り返し実行する。
2012053230.tif 000002
【特許請求の範囲】
【請求項１】
所定の居室空間の異なる位置に設置された複数の空調機器を制御する空調制御装置であって、
前記各空調機器によって空気調和されている空間に存在する在室者に関する情報を管理する管理部と、
前記管理部によって管理されている前記在室者に関する情報に基づいて、前記各空調機器によって空気調和される空間に存在する在室者の人数を、空調機器毎に算出する在室人数算出部と、
前記在室人数算出部によって算出された在室者の人数に応じて、前記各空調機器の省エネルギー制御を実行する制御時間を増減させる制御時間決定部と、
前記制御時間決定部によって増減された前記制御時間に従って、前記各空調機器に対する省エネルギー制御を繰り返し実行する制御実行部と、
を備える空調制御装置。
【請求項２】
前記制御時間決定部は、
冷房時には、前記在室人数算出部によって算出された在室者の人数が多ければ多いほど、前記各空調機器の前記制御時間を短くし、
暖房時には、前記在室人数算出部によって算出された在室者の人数が多ければ多いほど、前記各空調機器の前記制御時間を長くする、
請求項１に記載の空調制御装置。
【請求項３】
近傍における人の在不在を検出する複数の在不在検出手段をさらに備え、
前記管理部は、
前記各在不在検出手段により検出される人の在不在情報を収集し、
前記各空調機器と前記各在不在検出手段とが関連付けられた関連付け情報を保持し、
前記在室人数算出部は、
前記管理部により収集された前記在不在情報と、前記管理部により保持された前記関連付け情報とに基づいて、前記各空調機器によって空気調和される空間に存在する在室者の人数を算出する、
請求項１又は２に記載の空調制御装置。
【請求項４】
前記在不在検出手段は、
所定の期間内の操作入力の有無に応じて在室者の在不在情報を生成して前記空調制御装置に送信する情報処理端末である、
請求項３に記載の空調制御装置。
【請求項５】
所定の居室空間の異なる位置に設置された複数の空調機器を制御する空調制御方法であって、
前記各空調機器によって空気調和されている空間に存在する在室者に関する情報を管理する管理工程と、
前記管理工程において管理されている前記在室者に関する情報に基づいて、前記各空調機器によって空気調和される空間に存在する在室者の人数を、空調機器毎に算出する在室人数算出工程と、
前記在室人数算出工程において算出された在室者の人数に応じて、前記各空調機器の省エネルギー制御を実行する制御時間を増減させる制御時間決定工程と、
前記制御時間決定工程において増減された前記制御時間に従って、前記各空調機器に対する省エネルギー制御を繰り返し実行する制御実行工程と、
を含む空調制御方法。
【請求項６】
所定の居室空間の異なる位置に設置された複数の空調機器を制御するコンピュータを、
前記各空調機器によって空気調和されている空間に存在する在室者に関する情報を管理する管理部、
前記管理部によって管理されている前記在室者に関する情報に基づいて、前記各空調機器によって空気調和される空間に存在する在室者の人数を、空調機器毎に算出する在室人数算出部、
前記在室人数算出部によって算出された在室者の人数に応じて、前記各空調機器の省エネルギー制御を実行する制御時間を増減させる制御時間決定部、
前記制御時間決定部によって増減された前記制御時間に従って、前記各空調機器に対する省エネルギー制御を繰り返し実行する制御実行部、
として機能させるプログラム。
【発明の詳細な説明】
【技術分野】
【０００１】
この発明は、例えばビル等の家屋の居室空間の異なる位置に設置された複数の空調機器の省エネルギー制御を行う空調制御装置、空調制御方法及びプログラムに関する。
【背景技術】
【０００２】
近年、空調機器の空調能力を制限することにより、空調機器の省エネルギー制御を実行する空調制御装置が登場している。しかしながら、空調機器が設置された被調和室内の状況を考慮せず、やみくもに空調機器の省エネルギー制御を行うと、被調和室内の在室者の快適性が損なわれるおそれがある。【０００３】
そこで、被調和室内の室温と外気温との温度差や、被調和室内の在室者の位置を検出して、被調和室内に投入する最大能力の補正幅を変更することにより、被調和室内の在室者の快適性を保つ運転制御方法やシステムが開示されている（例えば特許文献１参照）。【０００４】
この運転制御方法等では、空気調和機の室内機に設けられた人体検知センサにより被調和室内の在室者の位置を把握するとともに、被調和室が安定状態となった場合、被調和室の熱貫流率（投入熱量を室温と外気温の差で除算したもの）を求め、在室者の位置と熱貫流率に応じて空気調和機の省エネルギー制御を実行する。これにより、最大能力を制限する運転を実行したとしても使用者が不快さを感じることなく、空気調和機の省エネルギー制御を実行することができる。【０００５】
また、複数の空調機器各々に対する所定の時間の省エネルギー制御を、時間帯をずらしながら行うことにより、在室者が不快に感じる急激な温度変化を抑え、省電力化を図りながら一定の快適性を保つデマンド制御システムや方法が開示されている（例えば特許文献２参照）。
【先行技術文献】
【特許文献】
【０００６】
【特許文献１】特開２０１０−６５９６８号公報（第１図）
【特許文献２】特開２００６−２９６９３号公報（第４図）
【発明の概要】
【発明が解決しようとする課題】
【０００７】
上記特許文献１に開示された運転制御方法等で空調機器の運転制御を行うと、被調和室内の複数の在室者が１台の空調機器に対して同じ方向にしかいない場合には、同じ方向にのみ送風を行うことにより省エネルギー化を図ることができる。しかしながら、ビルの事務所内に代表される広い居住空間のように、１台の空調機器に対し複数の方向に在室者がいる場合には、全ての人の快適性を満たそうとすると、目標とする電力削減効果を得るのが困難になる。【０００８】
また、特許文献２のデマンド制御システム等は、省エネルギー制御が実行される一定の制御時間だけ、居住空間の状況によらず空調機器を停止させる制御を行っている。このような停止制御を行うと、例えば在室者の数が多い空調エリアでは空調機器を停止させた時から急激に温度が上昇し、在室者の数の少ない空調エリアでは温度の上昇が緩やかになる。このため、上記制御時間が一定である場合には、空調エリアに居る在室者の数によって快適性にばらつきが生じるおそれがある。【０００９】
この発明は、上記実情に鑑みてなされたもので、省エネルギー制御による電力量削減効果を維持しつつ、空調による快適性の低下を防止することができる空調制御装置、空調制御方法及びプログラムを提供することを目的とする。
【課題を解決するための手段】
【００１０】
上記目的を達成するため、この発明の空調制御装置は、所定の居室空間の異なる位置に設置された複数の空調機器を制御する。この空調制御装置において、管理部は、在室者に関する情報を管理する。在室人数算出部は、管理部によって管理されている在室者に関する情報に基づいて、各空調機器によって空気調和される空間に存在する在室者の人数を、空調機器毎に算出する。制御時間決定部は、在室人数算出部によって算出された在室者の人数に応じて、単位時間に対する各空調機器の省エネルギー制御を実行する制御時間を増減させる。制御実行部は、制御時間決定部によって増減された制御時間に従って、各空調機器に対する省エネルギー制御を繰り返し実行する。
【発明の効果】
【００１１】
この発明によれば、複数の空調機器各々によって空気調和される空間に存在する熱源たる在室者の人数に応じて、各空調機器の省エネルギー制御を実行する制御時間を増減させる。これにより、居住空間に存在する在室者の人数に関わらず、削減される消費電力量を変えずに省エネルギー制御による気温の変動のばらつきを少なくすることができる。この結果、省エネルギー制御による電力量削減効果を維持しつつ、空調による快適性の低下を抑制することが可能となる。
【図面の簡単な説明】
【００１２】
【図１】この発明の実施の形態１に係る空調システムの構成を示すブロック図である。
【図２】図１の空調制御装置の構成を示すブロック図である。
【図３】初期設定処理のフローチャートである。
【図４】在不在関連付けデータの一例を模式的に示す図である。
【図５】在不在センサと空調機器との関連付けを模式的に示す図である。
【図６】エリア情報の一例を模式的に示す図である。
【図７】基準となる省エネルギー制御のオンオフパターンのタイミングチャートである。
【図８】制御時間算出処理のフローチャートである。
【図９】制御時間の算出例を示す図である。
【図１０】図１の空調システムにおける省エネルギー制御のオンオフパターンの一例を示すタイミングチャートである。
【図１１】この発明の実施の形態２に係る空調システムの構成を示すブロック図である。
【発明を実施するための形態】
【００１３】
以下、この発明の実施の形態について図面を参照して詳細に説明する。
【００１４】
実施の形態１．
まず、この発明の実施の形態１について説明する。
【００１５】
図１には、この発明の実施の形態１に係る空調システム１の構成が示されている。図１に示すように、この実施の形態に係る空調システム１は、複数の空調機器（室内機）２、電力量計測機器３、無線アダプタ４、リモートコントローラ５、在不在センサ６及び空調制御装置７を備える。
【００１６】
空調機器（室内機）２、電力量計測機器３、無線アダプタ４及び空調制御装置７は、専用通信線８で互いに通信に接続されている。また、図１では特に図示していないが、空調制御装置７は、空調機器（室内機）２だけでなく、圧縮機等を有する熱源側ユニット（室外機）とも専用通信線８を介して通信可能に接続されている。
【００１７】
さらに、空調機器（室内機）２には各々の操作が可能なリモートコントローラ５が接続されている。また、無線アダプタ４には、近辺に人が居るか否か、すなわち在室者の在不在状態を通報、応答する在不在センサ６が無線通信可能に接続されている。
【００１８】
複数の空調機器（室内機）２は、所定の居室空間において異なる位置にそれぞれ設置されている。各空調機器（室内機）２は、空調制御装置７の制御の下で、それぞれが設置された空間の温度が設定された目標温度に近づくようにその空間の空気調和を行う。より具体的には、各空調機器（室内機）２は、省エネルギー制御に用いられる停止指令、送風指令、能力制限、目標温度の変更指令等の各種指令を空調制御装置７から受信し、受信した指令に従って対応する空間の空気調和を行う。この複数の空調機器（室内機）２を、以下では空調機器群１０とも呼ぶ。
【００１９】
電力量計測機器３は、空調システム１またはビル全体の電力量を計測するための機器である。電力量計測機器３によって計測された電力量は、空調機器（室内機）２の制御内容を切り換えるために用いられる。
【００２０】
無線アダプタ４は、専用通信線８を流れる通信プロトコルによって規定された形式のデータと、無線通信の通信プロトコルによって規定された形式のデータとの間のデータ変換を行う。空調制御装置７と在不在センサ６とは、無線アダプタ４を介して、互いに通信が可能である。
【００２１】
リモートコントローラ５は、空調機器（室内機）２をユーザが操作するための操作端末である。リモートコントローラ５を操作することにより、対応する空調機器（室内機）２の運転、停止の他、冷房・暖房などの運転モードの変更、目標温度の変更、風向、風速の変更などが可能である。
【００２２】
在不在検出手段としての在不在センサ６は、近傍における人の在不在を検出するセンサである。在不在センサ６は、例えば、居室空間内の座席上に設置された圧力センサ等である。在不在センサ６は、その座席に在室者が座っている場合に、人が在席していることを検出する。在不在センサ６は、人の在席、不在が変化した場合、あるいは定期的に、無線通信により、無線アダプタ４を介して空調制御装置７に在室者の在不在情報を通報する。この複数の在不在センサ６を、以下では在不在センサ群１１とも呼ぶ。
【００２３】
空調制御装置７は、複数の空調機器（室内機）２を含む空調機器群１０を統括的に制御、管理する。図２に示すように、空調制御装置７は、表示装置２０、入力装置３０、通信管理部４０、記憶部５０及び制御部６０を備える。
【００２４】
表示装置２０は、制御部６０の制御の下、各空調機器（室内機）２の運転状態の監視画面や操作画面等を表示する。
【００２５】
入力装置３０には、タッチパネル、マウス、キーボード等が含まれる。タッチパネルは、表示装置２０上に設置されている。管理者等がタッチパネル、マウス、キーボード等を操作すると、その操作内容（例えば、監視画面の切り換え、空調機器群１０の操作、各種設定等の指示）に応じた信号が制御部６０に出力される。
【００２６】
通信管理部４０は、専用通信線８の通信インターフェイスである。この通信管理部４０を介して空調機器（室内機）２とのデータの送受信が行われる。
【００２７】
記憶部５０は、制御部６０が空調機器群１０の制御を行うために必要となる各種データを記憶する。記憶部５０によって記憶されるデータには、大別して、空調機器データ５１、省エネ設定データ５２、在不在データ５３及び計測機器データ５４がある。
【００２８】
空調機器データ５１には、各空調機器（室内機）２の接続情報７１、各空調機器（室内機）２の運転状態データ７２が含まれる。
【００２９】
接続情報７１は、空調制御装置７によって管理される各空調機器（室内機）２のアドレス番号、操作グループ番号、機種識別情報など、各空調機器（室内機）２を制御するために必要なデータである。
【００３０】
運転状態データ７２は、各空調機器（室内機）２の運転・停止状態や、冷房や暖房などの運転モード、設定温度、室内温度などの空調機器（室内機）２の現在の運転状態を示すデータである。運転状態データ７２は、空調機器（室内機）２とのデータ送受信により、随時更新されている。
【００３１】
省エネ設定データ５２には、エリア情報８１、制御レベル８２、制御時間８３、制御内容８４が含まれている。
【００３２】
エリア情報８１は、空調制御装置７によって管理されている複数の空調機器（室内機）２各々を、部屋や部署単位等で区切られた複数のエリア各々と対応付けたデータである。
【００３３】
制御レベル８２には、制御のレベルが切り替わる電力量の閾値が含まれている。電力量計測機器３から取得された電力量が閾値を超えると、空調制御装置７は、空調機器（室内機）２の制御レベルを切り替える。
【００３４】
制御時間８３は、各空調機器（室内機）２に対する単位時間当たりの省エネルギー制御の実行時間を規定するデータである。制御時間８３は、エリア毎、制御レベル８２毎に指定することができる。
【００３５】
制御内容８４は、停止制御や送風制御、能力制限などの省エネルギー制御の具体的な内容を規定するデータである。制御内容８４は、エリア別毎、制御レベル８２毎に指定することができる。
【００３６】
在不在データ５３には、接続情報９１、在不在状態データ９２及び在不在関連付けデータ９３が含まれている。
【００３７】
接続情報９１には、無線アダプタ４及び在不在を検知する在不在センサ６のアドレス情報や、無線アダプタ４及び在不在センサ６に設定される各種設定データが含まれている。
【００３８】
在不在状態データ９２は、在不在センサ群１１から通知された人の在席、不在の現在の状態を示すデータである。在不在状態データ９２は、在不在センサ６とのデータ送受信により、随時更新されている。
【００３９】
在不在関連付けデータ９３は、各々の在不在センサ６を、どの空調機器（室内機）２と関連付けて管理するかを示すデータである。各空調機器（室内機）２によって空気調和が行われる空間に居る在室者の在不在センサ６が、その空調機器（室内機）２と関連づけられている。
【００４０】
在不在状態データ９２及び在不在関連付けデータ９３は、各空調機器（室内機）２によって空気調和される空間に居る在室者に関する情報を示すものであるとも言える。
【００４１】
計測機器データ５４には、接続情報１０１、計測状態データ１０２が含まれている。
【００４２】
接続情報１０１には、電力量を計測する電力量計測機器３のアドレス情報や、電力量計測機器３に設定される各種設定データが含まれている。
【００４３】
計測状態データ１０２には、電力量計測機器３から取得された、電力量、瞬時電力、電圧、電流などの各種計測データが含まれている。
【００４４】
記憶部５０に記憶される上述の各種データは、制御部６０によって随時書き込まれ、読み出される。
【００４５】
制御部６０は、ＣＰＵ及びメモリ（いずれも不図示）を備える。ＣＰＵがメモリに格納されたプログラムを実行することにより、制御部６０の機能が実現される。
【００４６】
制御部６０は、空調機器（室内機）２を含む空調機器群１０を制御する。制御部６０には、在室人数算出部６１、制御時間決定部６２、制御実行部６３及び管理部６４が含まれている。
【００４７】
在室人数算出部６１は、記憶部５０に保持されている在不在データ５３（在不在状態データ９２及び在不在関連付けデータ９３）に基づいて、各々の空調機器（室内機）２に関連付けられた在不在センサ６のうち、在室者の存在を示す在不在センサ６の数を、空調機器（室内機）２ごとに算出する。在不在データ５３は、各空調機器（室内機）２によって空気調和される空間に居る在室者に関する情報である。したがって、在室人数算出部６１は、在不在データ５３に基づいて、各空調機器（室内機）２によって空気調和される空間に存在する在室者の人数を、空調機器（室内機）２毎に算出するものであると言える。
【００４８】
制御時間決定部６２は、在室人数算出部６１によって算出された在室者の人数に応じて、各空調機器（室内機）２が空気調和を行う空間に何人在室者が存在しているかを取得する。そして、制御時間決定部６２は、省エネ設定データ５２内の制御時間８３で規定されている制御時間を基準とし、単位時間に対する各空調機器（室内機）２の制御時間の比率を決定する。制御時間決定部６２は、この比率に基づいて制御時間を増減させ、空調機器（室内機）２ごとに省エネルギー制御を実行する制御時間を決定する。
【００４９】
制御実行部６３は、決定された制御時間に従って、各空調機器（室内機）２に対する制御時間での省エネルギー制御を繰り返し実行する。
【００５０】
管理部６４は、記憶部５０に記憶される上述の各種データ書き込み又は読み込みを行うことにより、記憶部５０に記憶される各種データを管理する。特に、管理部６４は、在不在状態データ９２及び在不在関連付けデータ９３も管理しており、各空調機器（空調機）２によって空気調和される空間に存在する在室者に関する情報を管理するものであると言える。
【００５１】
より具体的には、管理部６４は、各在不在センサ６により検出される在室者の在不在状態データ９２を収集する。そして、管理部６４は、各空調機器（室内機）２と各在不在センサ６とが関連付けられた在不在関連付けデータ９３を保持する。
【００５２】
この場合、在室人数算出部６２は、管理部６４により収集された在不在状態データ９２と、管理部６４により保持された在不在関連付けデータ９３とに基づいて、各空調機器（室内機）２によって空気調和される空間に存在する在室者の人数を算出する。
【００５３】
制御部６０は、この他、空調制御装置７の各構成要素を統括制御する。
【００５４】
次に、空調制御装置７の動作について説明する。
【００５５】
（初期設定処理）
まず、空調制御装置７の記憶部５０の各種データの初期設定処理について説明する。
【００５６】
空調システム１の起動後、まず、制御部６０の管理部６４は、入力装置３０の操作入力にしたがって、管理対象となる空調機器（室内機）２の接続情報７１、無線アダプタ４及び在不在センサ６の接続情報９１、電力量計測機器３の接続情報１０１の他、各種設定データを記憶部５０に登録する（ステップＳ１）。
【００５７】
続いて、管理部６４は、入力装置３０の操作入力により、各空調機器（室内機）２が空気調和を行う空間に設置された在不在センサ６を、在不在関連付けデータ９３として登録する（ステップＳ２）。在不在関連付けデータ９３は空調機器（室内機）２に対して複数の在不在センサ６を割り当ててもよいし、在不在センサ６に対して複数の空調機器（室内機）２を割り当ててもよい。
【００５８】
図４には、複数の在不在センサ６各々がどの空調機器（室内機）２に割り当てられているかを示す在不在関連付けデータ９３の一例が模式的に示されている。図４に示す在不在関連付けデータ９３では、空調機器０１に在不在センサ０１乃至０４が対応付けられている。また、空調機器０２に在不在センサ０５乃至０７が対応付けられている。また、空調機器０３に在不在センサ０８乃至１１が対応付けられている。これらと同様に、空調機器０４乃至４９についても、それぞれ在不在センサが対応付けられている。そして最後に、空調機器５０に在不在センサ２００乃至２０２が対応付けられている。
【００５９】
図５には、各空調機器（室内機）２と在不在センサ６の関係が示されている。この図では、座席配置に合わせて設置された在不在センサ６がどの空調機器（室内機）２に割り当てられているかが、矢印で表示されている。この関係を一覧表にしてまとめたものが、図４である。
【００６０】
続いて、管理部６４は、入力装置３０の操作入力により、部屋や部署単位で区切られたエリアを、エリア情報８１として登録する（ステップＳ３）。各エリアは、空調機器（室内機）２を少なくとも１台含むように設定される。また、１つのエリアに複数の空調機器（室内機）２を含むようにしてもよい。
【００６１】
図６には、複数の空調機器（室内機）２各々が、エリアに対応付けられたエリア情報８１の一例が模式的に示されている。各エリアは、部屋単位や部署単位で分割されている。図６に示すエリア情報８１では、エリア０１に空調機器０１乃至０５が対応付けられている。また、エリア０２に空調機器０６乃至１０が対応付けられている。また、エリア０３に空調機器１１乃至１４が対応付けられている。これらと同様に、エリア０４乃至０９にも、空調機器が対応付けられている。また、エリア１０に空調機器４５乃至５０が対応付けられている。この実施の形態では、エリアごとに、省エネルギー制御が巡回的に実行される。
【００６２】
続いて、管理部６４は、入力装置３０の操作入力により、制御レベル８２ごとに、単位時間当たりの省エネルギー制御をかける時間（例えば３０分間に３分間制御など）が制御時間８３として設定され、制御内容（停止制御、送風制御、能力制限など）が制御内容８４として設定される（ステップＳ４）。なお、各制御レベル８２は、電力量計測機器３から取得する電力量によって切り替わるものである。利用者は、制御レベルを切り替える際の閾値を登録することが可能である。
【００６３】
以上で、初期設定処理が終了する。
【００６４】
図７は、空調機器０１乃至０５の５台を１つのエリアとし、省エネルギー制御の制御時間８３を単位時間（３０分）内で６分間と登録した場合の制御例である。制御時間を６分間としたときは、３分間の省エネルギー制御を２回に分けて実施するものとし、この例では、空調機器０１では０〜３分、１５〜１８分の計６分間で省エネルギー制御が行われる。また、空調機器０２では３〜６分、１８〜２１分の計６分間で省エネルギー制御が行われる。また、空調機器０３では６〜９分、２１〜２４分の計６分間で省エネルギー制御が行われる。また、空調機器０４では９〜１２分、２４〜２７分の計６分間で省エネルギー制御が行われる。また、空調機器０５では１２〜１５分、２７〜３０分の計６分間で省エネルギー制御が行われる。
【００６５】
この実施の形態では、空調制御装置７により、上記各空調機器０１乃至０５の実際の省エネルギー制御の制御時間が調整される。すなわち、各空調機器０１乃至０５では、周辺の在室者の人数に応じて、制御時間が６分間よりも短くなったり長くなったりする。
【００６６】
続いて、図８を参照して、この実施の形態に係る制御時間算出処理について説明する。
【００６７】
図８には、省エネルギー制御の制御時間算出処理のフローチャートが示されている。この処理は単位時間（例えば３０分）毎に到来する開始時刻（例えば０分、３０分）ごとに実行される。この処理の実行により、在不在状態データ９２に基づいて、各空調機器（室内機）２の省エネルギー制御を実行する制御時間が算出される。
【００６８】
まず、在室人数算出部６１は、在不在状態データ９２及び在不在関連付けデータ９３に基づいて、各空調機器（室内機）２に関連付けられた在室者が何人いるかを算出する（ステップＳ１１）。
【００６９】
続いて、制御時間決定部６２は、同一エリア内の各空調機器（室内機）２に関連付けられた在室者数に応じた制御時間の割合を以下の式（１）を用いて算出する（ステップＳ１２）。
制御時間の割合＝（エリア内の在室者数の合計値−在室者数）
／エリア内の全空調機器の（エリア内の在室者数合計値−在室者数）の合計
…（１）
【００７０】
続いて、以下の式（２）を用いて、エリア内の空調機器（室内機）２に対して実行する省エネルギー制御の制御時間の総計を、上記割合と乗算することにより、省エネルギー制御を実施する制御時間が決定される（ステップＳ１３）。
制御時間＝エリア内の空調機器の省エネルギーの制御時間の総計×制御時間の割合
…（２）
【００７１】
ここで、空調機器０１乃至０５までの５台の空調機器に関連する在室者の人数が、図９に示すような人数であった場合の制御時間の算出例について説明する。
【００７２】
図９に示すように、空調機器０１に関連付けられた在室者の人数が４人、空調機器０２に関連付けられた在室者の人数が２人となっており、空調機器０３に関連付けられた在室者の人数が３人、空調機器０４に関連付けられた在室者の人数が３人、空調機器０５に関連付けられた在室者の人数が０人となっていたとする。この場合、エリア内の在室者の人数の合計値は１２人となり、エリア内の全空調機器の（エリア内の在室者の人数の合計値−在室者の人数）の合計は、（１２−４）＋（１２−２）＋（１２−３）＋（１２−３）＋（１２−０）＝４８である。
【００７３】
したがって、上述の計算式により、空調機器０１の制御時間割合は（１２−４）／４８、空調機器０２の制御時間割合は（１２−２）／４８、空調機器０３の制御時間割合は（１２−３）／４８、空調機器０４の制御時間割合は（１２−３）／４８、空調機器０５の制御時間割合は（１２−０）／４８となる。省エネルギー制御の基準値である制御時間８３が６分で登録されている場合は、エリア内の空調機器の制御時間の総計は６×５＝３０分となり、この値を制御時間割合に乗算した値が実際の制御時間となる。
【００７４】
この例では、各空調機器の単位時間あたりの省エネルギー制御時間は、空調機器０１が５．０分、空調機器０２が６．２５分、空調機器０３が５．６２５分、空調機器０４が５．６２５分、空調機器０５が７．５分となる。
【００７５】
図１０には、上述で求めた制御時間によって実行される、空調機器０１乃至０５の省エネルギー制御のオンオフパターンのタイミングチャートが示されている。図１０に示すように、制御時間で省エネルギー制御を実行すれば、在室者の人数の多い場所の省エネルギー制御の実行時間が短くなり、快適性を向上させることができる。
【００７６】
また、エリア内の全空調機器に対する省エネルギーの総実行時間は、制御時間８３で管理者により設定された値と同一となるため、従来の省エネルギー制御と同等の電力の削減量を維持することができる。
【００７７】
なお、この実施の形態では、制御時間を上記計算式を用いて求めるものとしているが、制御割合によって優先度付けを行い、１分単位などのパターンに割り当てて制御時間を決定する方式としてもよい。
【００７８】
また、この実施の形態では、在不在センサ６を無線で接続する方式としているが、これは無線で接続することに限ったものではなく、在不在センサ６が専用通信線８に直接接続可能な構成としてもよいし、ＬＡＮ等を用いて空調制御装置３に直接接続可能なものとしてもよい。
【００７９】
また、この実施の形態では、在不在センサ６と空調機器（室内機）２とが関連付けられたの在不在関連付けデータ９３を管理者が入力する方法を採用している。しかしながら、空調制御装置７内に空調機器（室内機）２及び在不在センサ６の位置情報を平面図データとともに保持し、制御部６０が位置データから自動的に在不在関連付けデータ９３を自動生成する方式としてもよい。
【００８０】
以上詳細に説明したように、この実施の形態によれば、複数の空調機器（室内機）２各々によって空気調和される空間に存在する熱源たる在室者の人数に応じて、各空調機器（室内機）２の省エネルギー制御を実行する制御時間を増減させる。これにより、その空間に存在する在室者の人数に関わらず、削減される消費電力量を変えずに省エネルギー制御による気温の変動のばらつきを少なくすることができる。この結果、省エネルギー制御による電力量削減効果を維持しつつ、空調による快適性の低下を抑制することが可能となる。
【００８１】
また、現在の在不在状態によって各空調機器の省エネルギー制御の制御時間が決定される。このため、在室者の人数が時間帯によって異なる場合でも、その都度、最適な省エネルギー制御が実行される制御時間を決定することができる。これにより、空調による快適性を向上させることができる。
【００８２】
実施の形態２．
次に、この発明の実施の形態２について説明する。
【００８３】
上記実施の形態１では、在不在センサ６を専用のセンサとしたが、この実施の形態では、居室空間内に設置された情報処理端末、例えばパーソナルコンピュータを利用して、人の在不在を検出する。
【００８４】
図１１には、この発明の実施の形態２に係る空調システム１の構成が示されている。図１１に示すように、この実施の形態２に係る空調システム１は、在不在センサ６に代えて、パーソナルコンピュータ（ＰＣ）９が設けられている。複数のＰＣ９をまとめてＰＣ群１２とも呼ぶ。
【００８５】
この実施の形態では、記憶部５０の在不在データ５３の在不在関連付けデータ９３として、その空調機器（室内機）２によって空気調和される空間に位置するＰＣ９に関する情報が記憶されている。
【００８６】
ＰＣ９には専用ソフトウエアがインストールされている。ＰＣ９は、この専用ソフトウエアを実行して、所定の期間内のキーボードやマウス等の操作入力の有無に応じて在室者の在不在情報を生成して、無線アダプタ４を介して、空調制御装置７に送信する。
【００８７】
この送信は、空調制御装置７からのリクエストによる応答の形で、送信されるようにしてもよいし、ＰＣ９において、一定期間操作入力がなかった場合に、通報するようにしてもよいし、定期的に通報するようにしてもよい。
【００８８】
空調制御装置７は、この情報を受信して、この情報が操作入力があったことを示す場合には、そのＰＣ９の近傍に在室者を居るものと判定し、この情報が操作入力がなく、スタンバイ状態になったことを示す場合には、そのＰＣ９の近傍に在室者がいないものと判定する。
【００８９】
また、ＰＣ９のＵＳＢ端子から電源供給を受けて動作する温度センサ等の各種機器を利用し、ＰＣ９のスタンバイ以降時にＵＳＢ端子の電源供給が停止することによって温度センサ等の機器の動作が止まることを利用して、空調制御装置７は、その動作の停止を受けてＰＣ９の周辺では人が不在であると判定するようにしてもよい。
【００９０】
なお、上記各実施の形態では、制御時間を決定するタイミングを、単位時間が経過する度（例えば３０分間隔）としている。しかしながら、制御時間を決定するタイミングはこれに限ったものではない。リアルタイムに制御時間を決定する方式としてもよい。
【００９１】
また、この実施の形態では、在室者の人数が多い場合に、空調機器（室内機）２の省エネルギー制御が実行される制御時間を短くしている。これに限らず、人数によって発熱量が大きくなることを鑑みて、冷房時であれば、在室者の人数が多ければ多いほど、空調機器（室内機）２の省エネルギー制御を実行する制御時間を短くすればよい。また、暖房時であれば、在室者の人数が多ければ多いほど、空調機器（室内機）２の省エネルギー制御を実行する制御時間を長くすればよい。
【００９２】
なお、上記実施の形態において、実行されるプログラムは、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納して配布し、そのプログラムをインストールすることにより、上述の処理を実行するシステムを構成することとしてもよい。
【００９３】
また、プログラムをインターネット等の通信ネットワーク上の所定のサーバ装置が有するディスク装置等に格納しておき、例えば、搬送波に重畳させて、ダウンロード等するようにしてもよい。
【００９４】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等してもよい。
【００９５】
また、この発明は、この発明の広義の精神と範囲を逸脱することなく、様々な実施形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【００９６】
本出願は、２０１０年１０月１８日に出願された、日本国特許出願２０１０−２３３８４５号に基づく。本明細書中に日本国特許出願２０１０−２３３８４５号の明細書、特許請求の範囲、図面全体を参照として取り込むものとする。
【産業上の利用可能性】
【００９７】
本発明は、複数の空調機器（室内機）が設置されている居室空間の環境制御に好適である。
【符号の説明】
【００９８】
１  空調システム
２  空調機器（室内機）
３  電力量計測機器
４  無線アダプタ
５  リモートコントローラ
６  在不在センサ
７  空調制御装置
８  専用通信線
９  パーソナルコンピュータ（ＰＣ）
１０  空調機器群
１１  在不在センサ群
１２  ＰＣ群
２０  表示装置
３０  入力装置
４０  通信管理部
５０  記憶部
５１  空調機器データ
５２  省エネ設定データ
５３  在不在データ
５４  計測機器データ
６０  制御部
６１  在室人数算出部
６２  制御時間決定部
６３  制御実行部
６４  管理部
７１  接続情報
７２  運転状態データ
８１  エリア情報
８２  制御レベル
８３  制御時間
８４  制御内容
９１  接続情報
９２  在不在状態データ
９３  在不在関連付けデータ
１０１  接続情報
１０２  計測状態データ
【図１】
2012053230.tif 000003
【図２】
2012053230.tif 000004
【図３】
2012053230.tif 000005
【図４】
2012053230.tif 000006
【図５】
2012053230.tif 000007
【図６】
2012053230.tif 000008
【図７】
2012053230.tif 000009
【図８】
2012053230.tif 000010
【図９】
2012053230.tif 000011
【図１０】
2012053230.tif 000012
【図１１】
2012053230.tif 000013
【手続補正書】
【提出日】平成24年12月21日(2012.12.21)
【手続補正１】
【補正対象書類名】明細書
【補正対象項目名】００１０
【補正方法】変更
【補正の内容】
【００１０】
上記目的を達成するため、この発明の空調制御装置は、所定の居室空間の異なる位置に設置された複数の空調機器を制御する。この空調制御装置において、管理部は、在室者に関する情報を管理する。在室人数算出部は、管理部によって管理されている在室者に関する情報に基づいて、各空調機器によって空気調和される空間に存在する在室者の人数を、空調機器毎に算出する。制御時間決定部は、在室人数算出部によって算出された在室者の人数に応じて、単位時間に対する各空調機器の省エネルギー制御を実行する制御時間を、前記複数の空調機器での制御時間の合計が所定時間となるように維持しながら増減させる。制御実行部は、制御時間決定部によって増減された制御時間に従って、各空調機器に対する省エネルギー制御を繰り返し実行する。
【手続補正２】
【補正対象書類名】特許請求の範囲
【補正対象項目名】全文
【補正方法】変更
【補正の内容】
【特許請求の範囲】
【請求項１】
所定の居室空間の異なる位置に設置された複数の空調機器を制御する空調制御装置であって、
前記各空調機器によって空気調和されている空間に存在する在室者に関する情報を管理する管理部と、
前記管理部によって管理されている前記在室者に関する情報に基づいて、前記各空調機器によって空気調和される空間に存在する在室者の人数を、空調機器毎に算出する在室人数算出部と、
前記在室人数算出部によって算出された在室者の人数に応じて、前記各空調機器の省エネルギー制御を実行する制御時間を、前記複数の空調機器での制御時間の合計が所定時間となるように維持しながら増減させる制御時間決定部と、
前記制御時間決定部によって増減された前記制御時間に従って、前記各空調機器に対する省エネルギー制御を繰り返し実行する制御実行部と、
を備える空調制御装置。
【請求項２】
前記制御時間決定部は、
冷房時には、前記在室人数算出部によって算出された在室者の人数が多ければ多いほど、前記各空調機器の前記制御時間を短くし、
暖房時には、前記在室人数算出部によって算出された在室者の人数が多ければ多いほど、前記各空調機器の前記制御時間を長くする、
請求項１に記載の空調制御装置。
【請求項３】
近傍における人の在不在を検出する複数の在不在検出手段をさらに備え、
前記管理部は、
前記各在不在検出手段により検出される人の在不在情報を収集し、
前記各空調機器と前記各在不在検出手段とが関連付けられた関連付け情報を保持し、
前記在室人数算出部は、
前記管理部により収集された前記在不在情報と、前記管理部により保持された前記関連付け情報とに基づいて、前記各空調機器によって空気調和される空間に存在する在室者の人数を算出する、
請求項１又は２に記載の空調制御装置。
【請求項４】
前記在不在検出手段は、
所定の期間内の操作入力の有無に応じて在室者の在不在情報を生成して前記空調制御装置に送信する情報処理端末である、
請求項３に記載の空調制御装置。
【請求項５】
所定の居室空間の異なる位置に設置された複数の空調機器を制御する空調制御方法であって、
前記各空調機器によって空気調和されている空間に存在する在室者に関する情報を管理する管理工程と、
前記管理工程において管理されている前記在室者に関する情報に基づいて、前記各空調機器によって空気調和される空間に存在する在室者の人数を、空調機器毎に算出する在室人数算出工程と、
前記在室人数算出工程において算出された在室者の人数に応じて、前記各空調機器の省エネルギー制御を実行する制御時間を、前記複数の空調機器での制御時間の合計が所定時間となるように維持しながら増減させる制御時間決定工程と、
前記制御時間決定工程において増減された前記制御時間に従って、前記各空調機器に対する省エネルギー制御を繰り返し実行する制御実行工程と、
を含む空調制御方法。
【請求項６】
所定の居室空間の異なる位置に設置された複数の空調機器を制御するコンピュータを、
前記各空調機器によって空気調和されている空間に存在する在室者に関する情報を管理する管理部、
前記管理部によって管理されている前記在室者に関する情報に基づいて、前記各空調機器によって空気調和される空間に存在する在室者の人数を、空調機器毎に算出する在室人数算出部、
前記在室人数算出部によって算出された在室者の人数に応じて、前記各空調機器の省エネルギー制御を実行する制御時間を、前記複数の空調機器での制御時間の合計が所定時間となるように維持しながら増減させる制御時間決定部、
前記制御時間決定部によって増減された前記制御時間に従って、前記各空調機器に対する省エネルギー制御を繰り返し実行する制御実行部、
として機能させるプログラム。
【国際調査報告】
2012053230.tif 000014
2012053230.tif 000015
2012053230.tif 000016
2012053230.tif 000017